(57)【特許請求の範囲】
【請求項１】
海水を取り込む取水路と、前記取水路から海水を汲み上げる海水ポンプとを備える海水供給設備であって、
前記海水ポンプを収容すると共に、密閉構造を有して地中に埋設されたポンプ室を備え、
前記ポンプ室が、前記ポンプ室の内外を連通する給気通路および排気通路を有し、
前記ポンプ室内にある前記給気通路の出口部が、前記海水ポンプの発熱部近傍に設置され、
前記給気通路の入口部および前記排気通路の出口部が、前記ポンプ室から延出して押津波海水面よりも高い位置まで突出し、且つ、
前記給気通路の入口部が、前記排気通路の出口部よりも低い位置に配置されることを特徴とする海水供給設備。
【請求項２】
前記取水路が、所定規模の津波の引き潮時における海水面の水位を基準として規定された引津波海水面の水位よりも低い位置に、取水口を有する請求項１に記載の海水供給設備。
【請求項３】
前記ポンプ室を囲む防護壁を備え、且つ、
前記防護壁が、所定規模の津波の押し潮時における海水面の水位を基準として規定された押津波海水面の水位よりも高い壁高さを有する請求項１または２に記載の海水供給設備。
【請求項４】
前記給気通路および前記排気通路の地上突出部が、煙突状の補強材に囲まれてそれぞれ補強される請求項１〜３のいずれか一つに記載の海水供給設備。
【発明の詳細な説明】
【技術分野】
【０００１】
この発明は、海水供給設備に関し、さらに詳しくは、海水ポンプを冷却できる海水供給設備に関する。
【背景技術】
【０００２】
原子力発電プラントなどのプラントは、震災発生時などの非常時にて海水を冷却水として供給するために、海水供給設備を備えている。かかる海水供給設備は、海水を取り込む取水路と、この取水路から海水を汲み上げる海水ポンプとを有している。
【０００３】
近年では、津波による海水ポンプの破損を抑制し、また、テロリスト等による海水ポンプの破壊活動を抑止するために、海水供給設備を堅牢化すべき要請がある。ここで、海水供給設備を堅牢化した場合には、海水ポンプの冷却についても考慮すべき必要がある。
【先行技術文献】
【特許文献】
【０００４】
【特許文献１】特開２００１−１１６８８０号公報
【発明の概要】
【発明が解決しようとする課題】
【０００５】
そこで、この発明は、上記に鑑みてなされたものであって、海水ポンプを冷却できる海水供給設備を提供することを目的とする。
【課題を解決するための手段】
【０００６】
上記目的を達成するため、この発明にかかる海水供給設備は、海水を取り込む取水路と、前記取水路から海水を汲み上げる海水ポンプとを備える海水供給設備であって、前記海水ポンプを収容すると共に、密閉構造を有して地中に埋設されたポンプ室を備え、前記ポンプ室が、前記ポンプ室の内外を連通する給気通路および排気通路を有し、前記ポンプ室内にある前記給気通路の出口部が、前記海水ポンプの発熱部近傍に設置され、前記給気通路の入口部および前記排気通路の出口部が、前記ポンプ室から延出して押津波海水面よりも高い位置まで突出し、且つ、前記給気通路の入口部が、前記排気通路の出口部よりも低い位置に配置されることを特徴とする。
【発明の効果】
【０００７】
この発明にかかる海水供給設備では、排気通路の入口部が給気通路の出口部よりも高い位置にあるので、海水ポンプの稼働により生じた高温の空気が排気通路を通って外部に流出し、また、低温の外気が給気通路を通ってポンプ室内に導入される。これにより、ポンプ室内の空気と外気との温度差により、ポンプ室内の空気が自然循環して、海水ポンプが冷却される利点がある。
【図面の簡単な説明】
【０００８】
【図１】図１は、この発明の実施の形態にかかる海水供給設備を示す構成図である。
【図２】図２は、図１に記載した海水供給設備のポンプ室の冷却構造を示す説明図である。
【図３】図３は、図２に記載したポンプ室の冷却構造の変形例１を示す説明図である。
【図４】図４は、図２に記載したポンプ室の冷却構造の変形例２を示す説明図である。
【図５】図５は、図２に記載したポンプ室の冷却構造の変形例３を示す説明図である。
【図６】図６は、図１に記載した海水供給設備のポンプ室の開閉装置を示す説明図である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［プラントの海水供給設備］
図１は、この発明の実施の形態にかかる海水供給設備を示す構成図である。同図は、海岸部に設置された海水供給設備１を模式的に示している。
【００１１】
この海水供給設備１は、海水をプラント（図示省略）に供給する設備であり、特に、原子力発電プラントに海水を供給する設備として用いられる。例えば、原子力発電プラントでは、海水が海水管を介して原子炉補機冷却海水設備に供給され原子炉冷却に必要な設備の冷却水として用いられている。また、震災発生時などの非常時にて海水を冷却水として供給するためのラインが設置されている。
【００１２】
海水供給設備１は、取水路２と、海水ポンプ３とを備える。取水路２は、海水を取り込むための水路（海水プール）である。この取水路２は、陸地の地下に形成され、取水管２１を海中に延出して配置される。海水ポンプ３は、取水路２から海水を吸い上げるポンプであり、ポンプ室１０に収容される。例えば、図１の構成では、海水ポンプ３が、縦置き型の軸流ポンプであり、２台のポンプ３が、その吸水管３１をポンプ室１０の床下にある取水路２に挿入して配置されている。なお、海水供給設備１は、ポンプ室１０の他に、ストレーナ（図示省略）を収容するストレーナ室１１と、監視員のための管理室１２とを備えている。また、海水ポンプ３は、上記した縦置き型のポンプに限らず、横置き型のポンプであっても良い（図示省略）。
【００１３】
ここで、取水路２は、引津波海水面の水位よりも低い位置に、その取水口２２を有する（図１参照）。引津波海水面の水位は、所定規模の津波の引き潮時における海水面の水位を基準として規定される。例えば、原子力発電プラントでは、想定される最大規模の津波に対して、その引き潮時における海水面の水位が算出されて引津波海水面の水位が規定される。また、引津波海水面の水位が、原子力発電プラントの設計仕様や設置環境などに応じて、それぞれ個別に規定される。
【００１４】
この海水供給設備１では、海水が、取水管２１を介して取水路２に流入して貯留される。そして、海水ポンプ３が、この海水を取水路２から吸い上げてプラントの海水管（図示省略）に供給する。このとき、取水路２の取水口２２が引津波海水面の水位よりも低い位置にあるので、引き津波時にも、海水が取水口２２から取水路２に適正に取り込まれて貯留される。これにより、震災等により津波が発生した場合にも、プラントに供給すべき海水を適正に確保できる。
【００１５】
［海水ポンプ室の堅牢化］
近年のプラントでは、震災発生時の津波やテロリスト対策として、海水ポンプを収容するポンプ室を堅牢化すべき要請がある。特に、原子力発電プラントでは、非常用冷却水としての海水を適正に確保して供給できることが要求される。
【００１６】
そこで、この海水供給設備１では、以下の構成により、ポンプ室１０の堅牢化を実現している（図１参照）。
【００１７】
まず、上記のように、海水ポンプ３を収容するポンプ室１０が設けられ、このポンプ室１０により、海水ポンプ３の設置エリアが外部に対して区画される。例えば、図１の構成では、ポンプ室１０が、コンクリート製の天井部、内壁部および床部を有し、このポンプ室１０の下方に取水路２が形成されている。また、海水ポンプ３が、ポンプ室１０の床部に固定設置されて、吸水管３１を取水路２に挿入している。これにより、例えば、津波発生時にも、海水ポンプが津波に流されることなく海水を吸水できる。
【００１８】
また、ポンプ室１０が、陸部の地中に埋設される。例えば、図１の構成では、ポンプ室１０の大半が地中に埋設されて、天井部のみが地上に露出している。また、海水ポンプ３からプラントの海水管（図示省略）への給水ラインも、地中に埋設されている。これにより、ポンプ室１０の耐震性および耐津波性が高められ、また、海水ポンプ３および給水ラインが保護されている。
【００１９】
なお、図１の構成では、上記のように、ポンプ室１０の天井が地上に露出している。しかし、これに限らず、ポンプ室１０の全体が地中に埋設されても良い（図示省略）。
【００２０】
また、海水供給設備１が、ポンプ室１０を囲んで設置された防護壁４を有する。この防護壁４は、押津波海水面の水位よりも高い壁高さＨ１を有する。押津波海水面の水位は、所定規模の津波の押し潮時における海水面の水位を基準として規定される。例えば、原子力発電プラントでは、想定される最大規模の津波に対して、その押し潮時における海水面の水位（津波の高さ）が算出されて押津波海水面の水位が規定される。また、押津波海水面の水位が、原子力発電プラントの設計仕様や設置環境などに応じて、それぞれ個別に規定される。例えば、図１の構成では、防護壁４が、コンクリート製の堤防であり、ポンプ室１０の地上に露出した部分の全周を囲んで配置されている。これにより、津波発生時には、ポンプ室１０が漂流物や浸水から保護され、また、ポンプ室の破壊を目的としたテロ行為が予防されている。
【００２１】
なお、図１の構成では、上記のように、ポンプ室１０の大半が地下に埋設されて、その地上に露出した部分を防護壁４が囲んで配置されている。しかし、これに限らず、ポンプ室１０の大半が地上に露出する構成においても、防護壁４がポンプ室１０を囲んで配置され得る。
【００２２】
また、海水供給設備１が、ポンプ室１０への通路に設置された第一扉５１と、防護壁４に設置された第二扉５２と、第一扉５１および第二扉５２の開閉動作を制御する制御装置（図示省略）とを備える。また、制御装置が、第一扉５１および第二扉５２の双方が開状態となる動作を禁止する。すなわち、制御装置は、第一扉５１および第二扉５２の双方が閉となる状態、第一扉５１が開となり第二扉５２が閉となる状態、第一扉５１が閉となり第二扉５２が開となる状態のいずれか一つの状態に、第一扉５１および第二扉５２の開閉動作を制御する。例えば、図１の構成では、第二扉５２が、防護壁４の陸側の壁面に配置され、防護壁４の外部から内部への唯一の通路となっている。また、第一扉５１が、管理室１２の入口に配置され、第一扉５１から管理施設内（ポンプ室１０、ストレーナ室１１および管理室１２）への唯一の通路となっている。また、第一扉５１および第二扉５２が、電磁式のドアロックを有し、管理室１２に設置された制御装置（図示省略）により制御されている。これにより、第一扉５１および第二扉５２の双方が開状態となる事態が防止されて、管理施設内への外部からの侵入に時間を要するように構成されている。
【００２３】
［ポンプ室の冷却構造］
この海水供給設備１では、上記のように、海水ポンプ３がポンプ室１０に収容される。一方で、海水ポンプ３の稼働時には、ポンプモータ（図示省略）の発熱によりポンプ室１０の温度が上昇する。このため、海水供給設備１は、ポンプ室１０を換気して冷却するために、以下の冷却構造を有している。
【００２４】
図２は、図１に記載した海水供給設備のポンプ室の冷却構造を示す説明図である。同図は、ポンプ室１０の冷却構造を模式的に示している。
【００２５】
図２の構成では、ポンプ室１０が、ポンプ室１０の内外を連通する給気通路６１および排気通路６２を有する。給気通路６１は、外気をポンプ室１０内に導入するための通路である。排気通路６２は、ポンプ室１０内の空気を室外に排出するための通路である。これらの給気通路６１および排気通路６２は、例えば、通気ダクトや通気配管などから構成される。また、ポンプ室１０内にある給気通路６１の出口部６１２は、海水ポンプ３の発熱部近傍に設置されている。具体的には、給気通路６１の出口部６１２が、送風方向を海水ポンプ３の発熱部（ポンプモータ）に向けつつ、海水ポンプ３の発熱部に対して直風を当てることができる位置に配置されている。これにより、外気が冷たいままモータ(発熱部)に供給される。
【００２６】
また、ポンプ室１０内にある排気通路６２の入口部６２１が、ポンプ室１０内にある給気通路６１の出口部６１２よりも高い位置にある。また、ポンプ室１０内にある排気通路６２の出口部６２２が、ポンプ室１０内にある給気通路６１の入口部６１１よりも高い位置にある。これにより、排気された空気が、給気口６１１に戻らずに上昇するため、健全な冷却効果が確保される。
【００２７】
例えば、図２の構成では、ポンプ室１０が、地中に埋設されている。また、給気通路６１および排気通路６２が、ポンプ室１０の内外を連通する通風ダクトから構成されている。また、給気通路６１が、ポンプ室１０の天井部から上方に延出して地上に突出し、この地上突出部に開口部（外気の入口部６１１）を有している。また、給気通路６１が、ポンプ室１０の天井部から下方に延在して、海水ポンプ３の発熱部近傍に開口部（外気の出口部６１２）を有している。また、排気通路６２が、ポンプ室１０の天井部に開口部（空気の入口部６２１）を有している。また、排気通路６２が、ポンプ室１０の天井部から上方に延出して地上に突出し、この地上突出部に開口部（空気の出口部６２２）を有している。また、ポンプ室１０外にある給気通路６１の入口部６１１が、ポンプ室１０外にある排気通路６２の出口部６２２よりも低い位置に配置されている。また、この給気通路６１および排気通路６２の地上突出部が、コンクリート製かつ煙突状の補強材６３に囲まれてそれぞれ補強されている。
【００２８】
図２の構成では、海水ポンプ３が稼働すると、ポンプモータの発熱により高温となった空気がポンプ室１０内を上昇する。すると、排気通路６２の入口部６２１が給気通路６１の出口部６１２よりも高い位置にあるので、ポンプ室１０内の空気が排気通路６２を通って外部に流出する。一方で、低温の外気が、低い位置に出口部６１２を有する給気通路６１を通ってポンプ室１０内に導入される。これにより、ポンプ室１０内の空気と外気との温度差により、ポンプ室１０内の空気が自然循環して、海水ポンプ３が冷却される。
【００２９】
なお、図２の構成では、（ａ）海水ポンプ３の発熱部とポンプ室１０外にある排気通路６２の出口部６２２との高低差Ｈ２、あるいは、（ｂ）給気通路６１と排気通路６２との流路断面積を調整することにより、ポンプ室１０内への外気の供給量を調整できる。
【００３０】
また、図２の構成では、ポンプ室１０が、複数の入口部６１１および複数の出口部６２２を有することが好ましい（図示省略）。これにより、海風および陸風による入口部６１１および出口部６２２の全閉塞を防止できる。
【００３１】
また、図２の構成では、ポンプ室１０の本体が密閉構造を有し、且つ、ポンプ室１０外にある給気通路６１の入口部６１１と排気通路６２の出口部６２２とが津波発生時にて浸水しない位置（例えば、押津波海水面よりも高い位置）にあることが重要となる（図示省略）。例えば、給気通路６１および排気通路６２の地上突出部を押津波海水面よりも高い位置まで突出させることにより、給気通路６１および排気通路６２への海水の流入を抑制できる。これにより、津波発生時におけるポンプ室１０への浸水が抑制され、また、ポンプ室１０の冷却機能が適正に確保される。
【００３２】
図３は、図２に記載したポンプ室の冷却構造の変形例１を示す説明図である。
【００３３】
図３の構成では、ポンプ室１０が、空気をポンプ室１０に供給する第一ファン７１と、空気をポンプ室１０から排出する第二ファン７２とを有する。
【００３４】
例えば、図３の構成では、ポンプ室１０が、地中に埋設されている。また、海水供給設備１が、ポンプ室１０の外部に空調機器室７０を備え、この空調機器室７０内に、２台の第一ファン７１および２台の第二ファン７２を収容している。この空調機器室７０は、防護壁４に囲まれた敷地内にある建屋に設けられても良いし、ポンプ室１０と同様に、地中に埋設されても良い。また、第一ファン７１が、外気を取り込むためのダクト７１１と、ポンプ室１０に外気を送るためのダクト７１２とを有している。また、外気を取り込むためのダクト７１１上に、海風の塩分などを除去するためのエアフィルタ（図示省略）が設置されている。また、第二ファン７２が、ポンプ室１０内の空気を取り込むためのダクト７２１と、外部に空気を排出するためのダクト７２２とを有している。
【００３５】
図３の構成では、第一ファン７１および第二ファン７２が稼動することにより、ポンプ室１０内に低温の外気が供給され、また、ポンプ室１０内の高温の空気が外部に排出される。これにより、ポンプ室１０内の空気が循環して、海水ポンプ３が冷却される。
【００３６】
なお、図３の構成では、第一ファン７１および第二ファン７２が空調機器室７０に恒設されている。しかし、例えば、海水供給設備１が震災発生時などの非常時にのみ使用される場合には、第一ファン７１および第二ファン７２が後付けされて設置されても良い。また、かかる場合には、第一ファン７１および第二ファン７２のいずれか一方のみが設置されても良い。かかる構成としても、ポンプ室１０内の空気を循環させ得る。
【００３７】
また、図３の構成において、第一ファン７１のダクト７１１、７１２上に、空気を冷却するための冷却装置（図示省略）が配置されても良い。これにより、第一ファン７１からポンプ室１０に供給される空気を冷却できるので、海水ポンプ３を効果的に冷却できる。かかる冷却装置としては、例えば、海水を循環させて空気を冷却する冷却コイルが想定される。
【００３８】
また、図３の構成では、ポンプ室１０の本体が密閉構造を有し、且つ、第一ファン７１および第二ファン７２が津波発生時にて浸水しない位置（例えば、押津波海水面よりも高い位置）にあることが好ましい（図示省略）。これにより、津波発生時におけるポンプ室１０への浸水が抑制され、また、ポンプ室１０の冷却機能が適正に確保される。加えて、空調機器室７０が想定津波高さ以上に設置されていれば、第一ファン７１および第二ファン７２等の異常時に、運転員等が空調機器室７０に寄付き、第一ファン７１および第二ファン７２等を修復することも可能となる。
【００３９】
図４および図５は、図２に記載したポンプ室の冷却構造の変形例２、３を示す説明図である。これらの図において、図４は、仮設ファン８３が用いられる場合を有し、図５は、恒設ファン８４が用いられる場合を示している。
【００４０】
図４の構成では、ポンプ室１０が、ポンプ室１０の内外を連通する通気口８１、８２と、通気口８１、８２を開閉する開閉部８１１、８２１と、ポンプ室１０の換気に用いられる仮設ファン８３とを有する。
【００４１】
例えば、図４の構成では、ポンプ室１０が、地上に設置されたポンプ建屋から構成されている。また、ポンプ室１０が、ポンプ室１０の内外を連通する複数の通気口８１、８２を有している。また、これらの通気口８１、８２が、開閉扉（開閉部８１１、８２１）をそれぞれ有している。
【００４２】
図４の構成では、海水ポンプ３の稼働時（通常運転時あるいは事故時）には、ポンプ室１０の壁を介して外部への放熱が行われて、ポンプ室１０内が冷却されている（図４（ａ）参照）。また、作業員がポンプ室１０に立ち入るときには、開閉部８１１、８２１が開放され、仮設ファン８３が搬入されて通気口８２に設置される（図４（ｂ）参照）。そして、仮設ファン８３を駆動することにより、ポンプ室１０の換気を行い、ポンプ室１０の温度を下げる。その後に、作業員がポンプ室１０に立ち入って検査および作業を行う。
【００４３】
なお、図４の構成では、作業員の立ち入り時にて、仮設ファン８３が一時的に設置されて使用されている。しかし、これに限らず、図５に示すように、ポンプ室１０が恒設ファン８４を有しても良い。
【００４４】
［ポンプ室の開閉装置］
図６は、図１に記載した海水供給設備のポンプ室の開閉装置を示す説明図である。同図は、ポンプ室１０の天井部に設置された開閉装置９１を示している。
【００４５】
図６の構成では、ポンプ室１０が、ポンプ室１０の内外を連通する通気口９２と、この通気口９２を開閉する開閉装置９１とを有する。
【００４６】
例えば、図６の構成では、図１に示すように、海水ポンプ３がポンプ室１０に収容される。また、ポンプ室１０が、地中に埋設されて天井部を地上に突出させている。また、ポンプ室１０の本体が密閉構造を有することにより、津波発生時におけるポンプ室１０への浸水が抑制されている。一方で、海水ポンプ３の稼働時には、ポンプモータ（図示省略）の発熱によりポンプ室１０の温度が上昇する。このため、ポンプ室１０が換気用の開閉装置９１を天井部に有している。
【００４７】
また、開閉装置９１が、開閉式屋根であり、ポンプ室１０の天井部を変位させて通気口９２を開閉できる。具体的には、開閉装置９１が、ポンプ室１０の天井部を構成する屋根９１１と、この屋根９１１を鉛直下方から支持する支持脚９１２と、この支持脚９１２を水平方向から支持するバンパー９１３と、支持脚９１２を鉛直方向に進退変位させるエアジャッキ９１４と、このエアジャッキ９１４を支持する台座部９１５とから構成されている。また、管理室１２の制御装置（図示省略）がエアジャッキ９１４へのエア供給をＯＮ／ＯＦＦしてエアジャッキ９１４を膨張／収縮させることにより、支持脚９１２が鉛直方向に進退変位して、屋根９１１が開閉される。
【００４８】
図６の構成では、ポンプ室１０の密閉時には、開閉装置９１が閉状態にあり、通気口９２が塞がれる（図６（ａ）参照）。具体的には、エアジャッキ９１４のエアが抜かれて屋根９１１が下降し、屋根９１１とポンプ室１０の側壁との間の通気口９２が封止される。これにより、ポンプ室１０内への浸水が抑制される。例えば、潮位計（図示省略）による測定値（海水水位）が所定値以上の場合、津波警報が発令された場合、海水ポンプ３の停止時などに、開閉装置９１を閉状態としてポンプ室１０が密閉される。
【００４９】
一方、ポンプ室１０の換気時には、開閉装置９１が開状態にあり、通気口９２があいてポンプ室１０の内外が連通する（図６（ｂ）参照）。具体的には、エアジャッキ９１４にエアが供給されて屋根９１１が上昇し、屋根９１１とポンプ室１０の側壁との間に通気口９２が形成される。これにより、通気口９２を介してポンプ室１０の換気が行われる。例えば、海水ポンプ３の稼働時にて、開閉装置９１を開状態として、ポンプ室１０の換気および冷却が行われる。
【００５０】
なお、図６の構成では、上記のように、開閉装置９１が、開閉式屋根であり、ポンプ室１０の天井部に設置されている。かかる構成では、ポンプ室１０の排熱効果が高く、また、ポンプ室１０が地中に埋設されて天井部を地上に突出させる構成において、開閉装置９１を容易に設置できる点で好ましい。しかし、これに限らず、開閉装置９１が、例えば、ポンプ室１０の側壁に配置されても良い（図示省略）。
【００５１】
［効果］
以上説明したように、この海水供給設備１は、海水を取り込む取水路２と、取水路２から海水を汲み上げる海水ポンプ３とを備える（図１参照）。また、海水供給設備１は、海水ポンプ３を収容するポンプ室１０を備える。また、ポンプ室１０が、ポンプ室１０の内外を連通する給気通路６１および排気通路６２を有する（図２参照）。また、ポンプ室１０内にある給気通路６１の出口部６１２は、海水ポンプ３の発熱部近傍に設置されている。
【００５２】
また、ポンプ室１０内にある排気通路６２の入口部６２１が、ポンプ室１０内にある給気通路６１の出口部６１２よりも高い位置にある。また、ポンプ室１０内にある排気通路６２の出口部６２２が、ポンプ室１０内にある給気通路６１の入口部６１１よりも高い位置にある。
【００５３】
かかる構成では、排気通路６２の入口部６２１が給気通路６１の出口部６１２よりも高い位置にあるので、海水ポンプ３の稼働により生じた高温の空気が排気通路６２を通って外部に流出し、また、低温の外気が給気通路６１を通ってポンプ室１０内に導入される。すると、ポンプ室１０内の空気と外気との温度差により、ポンプ室１０内の空気が自然循環する。これにより、海水ポンプ３が冷却される利点がある。また、空気の自然循環により海水ポンプ３を冷却できるので、例えば、安全系の動的機器の設置が不要となる利点がある。
【００５４】
また、この海水供給設備１は、ポンプ室１０が、外気をポンプ室１０に供給する第一ファン７１と、ポンプ室１０内の空気を排出する第二ファン７２とを有する（図３参照）。
【００５５】
かかる構成では、第一ファン７１および第二ファン７２が稼動することにより、ポンプ室１０内に低温の外気が供給され、また、ポンプ室１０内の高温の空気が外部に排出される。これにより、ポンプ室１０内の空気が循環して、海水ポンプ３が冷却される利点がある。
【００５６】
また、この海水供給設備１は、ポンプ室１０が、ポンプ室１０の内外を連通する通気口８１、８２と、この通気口８１、８２を開閉する開閉部８１１、８２１と、ポンプ室１０の換気に用いられる仮設あるいは恒設のファン８３、８４とを有する（図４及び図５参照）。
【００５７】
かかる構成では、海水ポンプ３の稼働時（通常運転時あるいは事故時）には、ポンプ室１０の壁を介して外部への放熱が行われて、ポンプ室１０内が冷却される（図４（ａ）および図５（ａ）参照）。また、作業員がポンプ室１０に立ち入るときには、開閉部８１１、８２１が開放され、ファン８３、８４が駆動されて、ポンプ室１０の換気が行われる（図４（ｂ）および図５（ｂ）参照）。これらにより、ポンプ室１０および海水ポンプ３を冷却できる利点がある。
【００５８】
また、この海水供給設備１は、ポンプ室１０が、ポンプ室１０の内外を連通する通気口９２と、この通気口９２を開閉する開閉装置９１とを有する（図６参照）。
【００５９】
かかる構成では、ポンプ室１０の密閉時には、開閉装置９１が閉状態にあり、通気口９２が塞がれる（図６（ａ）参照）。これにより、ポンプ室１０内への浸水が抑制される。一方、ポンプ室１０の換気時には、開閉装置９１が開状態にあり、通気口９２があいてポンプ室１０の内外が連通する（図６（ｂ）参照）。これにより、通気口９２を介してポンプ室１０の換気が行われる。これにより、ポンプ室１０の水密化および換気を実現できる利点がある。
【００６０】
また、この海水供給設備１では、開閉装置９１が、通気口９２を塞ぐ開閉体（屋根９１１）と、この開閉体を駆動するエアジャッキ９１４とを有する（図６参照）。これにより、開閉装置９１を簡易に構成できる利点がある。
【００６１】
また、この海水供給設備１は、海水を取り込む取水路２と、取水路２から海水を汲み上げる海水ポンプとを備える（図１参照）。また、取水路２が、所定規模の津波の引き潮時における海水面の水位を基準として規定された引津波海水面の水位よりも低い位置に、取水口２２を有する。
【００６２】
かかる構成では、取水路２の取水口２２が引津波海水面の水位よりも低い位置にあるので、引き津波時にも、海水が取水口２２から取水路２に適正に取り込まれて貯留される。これにより、震災等により津波が発生した場合にも、プラントに供給すべき海水を適正に確保できる利点がある。例えば、取水口が引津波海水面の水位よりも高い位置にあると、引き津波時の短時間であっても、取水路の海水が海水ポンプにより吸い上げられて枯渇するおそれがあり、好ましくない。
【００６３】
また、この海水供給設備１は、海水ポンプ３を収容するポンプ室１０と、このポンプ室１０を囲む防護壁４とを備える（図１参照）。また、防護壁４が、所定規模の津波の押し潮時における海水面の水位を基準として規定された押津波海水面の水位よりも高い壁高さＨ１を有する。
【００６４】
かかる構成では、これにより、ポンプ室１０を囲む防護壁４が配置されることにより、津波発生時にてポンプ室１０が漂流物や浸水から保護され、また、ポンプ室の破壊を目的としたテロ行為が予防される利点がある。
【００６５】
また、この海水供給設備１は、ポンプ室１０への通路に設置された第一扉５１と、防護壁４に設置された第二扉５２と、これらの第一扉５１および第二扉５２の開閉動作を制御する制御装置（図示省略）とを備える（図１参照）。また、制御装置が、第一扉５１および第二扉５２の双方が開状態となる動作を禁止する。これにより、第一扉５１および第二扉５２の双方が開状態となる事態が防止されて、管理施設内への外部からの侵入に時間を要するように構成できる利点がある。
【００６６】
また、この海水供給設備１は、海水ポンプ３を収容するポンプ室１０を備える（図１参照）。また、ポンプ室１０が地中に埋設される。これにより、ポンプ室１０の耐震性が向上する利点がある。
【符号の説明】
【００６７】
１  海水供給設備、２  取水路、２１  取水管、２２  取水口、３  海水ポンプ、３１  吸水管、４  防護壁、５１  第一扉、５２  第二扉、６１  給気通路、６１１  入口部、６１２  出口部、６２  排気通路、６２１  入口部、６２２  出口部、６３  補強材、７０  空調機器室、７１  第一ファン、７１１、７１２  ダクト、７２  第二ファン、７２１、７２２  ダクト、８１、８２  通気口、８１１、８２１  開閉部、８３  仮設ファン、８４  恒設ファン、９１  開閉装置、９１１  屋根、９１２  支持脚、９１３  バンパー、９１４  エアジャッキ、９１５  台座部、９２  通気口、１０  ポンプ室、１１  ストレーナ室、１２  管理室
【図１】
0006008538.tif 000002
【図２】
0006008538.tif 000003
【図３】
0006008538.tif 000004
【図４】
0006008538.tif 000005
【図５】
0006008538.tif 000006
【図６】
0006008538.tif 000007